(57)【要約】【課題】表示パネルを壁面から突出させて回動させた際に、表示パネルの側端部が壁面に衝突するのを防止する表示パネル支持装置を提供する。【解決手段】壁面Ｗに固定される壁固定部材１と、前面側に表示パネルＰが設置されるパネル取付用部材２と、壁固定部材１とパネル取付用部材２とを連結する可動連結手段３と、を備える。パネル取付用部材２は可動連結手段３を介して壁面Ｗから前方へ離れた位置にて壁固定部材１に対して左右方向に回動自在に支持されると共に、側方に向けて突出してその先端部に緩衝手段７１を有するガード７が設けられている。【選択図】        図１
2010278571.tif 000002
【特許請求の範囲】
【請求項１】
壁面に固定される壁固定部材と、前面側に表示パネルが設置されるパネル取付用部材と、壁固定部材とパネル取付用部材とを連結する可動連結手段と、を備え、パネル取付用部材は可動連結手段を介して壁面から前方へ離れた位置にて壁固定部材に対して左右方向に回動自在に支持されると共に、側方に向けて突出してその先端部に緩衝手段を有するガードが設けられていることを特徴とする表示パネル支持装置。
【請求項２】
ガードは、パネル取付用部材から側方に向けて伸縮自在であることを特徴とする請求項１記載の表示パネル支持装置。
【請求項３】
パネル取付用部材は可動連結手段を介して壁固定部材に対して離接方向に移動自在となることを特徴とする請求項２記載の表示パネル支持装置。
【発明の詳細な説明】
【技術分野】
【０００１】
本発明は、液晶テレビやプラズマテレビ等の平面状の表示パネルを支持する装置に関するものである。
【背景技術】
【０００２】
近年、液晶テレビやプラズマテレビ等の平面状の表示パネルが普及してきており、壁面に沿わせて設置するなどして使用されている。壁面に沿わせての設置形態として、利用者が使う時等に、壁面から前方へ突出させると共に、表示パネルを壁面に対して所望の角度に設定して使用するといった使用形態が提案されている（例えば特許文献１、特許文献２参照）。
【０００３】
特許文献１には、壁面に固定される壁固定部材（特許文献１中のベース部）と、表示パネル（テレビ本体）が固定されるパネル取付用部材（ブラケット）と、壁固定部材とパネル取付用部材とを丁番を介して連結する可動連結手段（アーム部）と、からなる表示パネル支持装置が開示されている。特許文献２には、壁面に固定される壁固定部材（特許文献２中のベース部材）と、表示パネル（壁掛けディスプレイ）が固定されるパネル取付用部材（取付部材）と、壁固定部材とパネル取付用部材とを連結する可動連結手段（リンクを有する支持部材）と、からなる表示パネル支持装置が開示されている。
【０００４】
これらの表示パネル支持装置において、可動連結手段は、その両端部がそれぞれ壁固定部材とパネル取付用部材とに枢支され、表示パネルを壁面に沿わせたり、可動連結手段を壁固定部材に対して回動させて表示パネルを壁面から突出させたり、壁面から突出した表示パネルを壁面に対して所望の角度にしたりすることができる。
【先行技術文献】
【特許文献】
【０００５】
【特許文献１】特開２００７−１３２４１号公報
【特許文献２】特開２００４−３６３７８８号公報
【発明の概要】
【発明が解決しようとする課題】
【０００６】
ところで上記特許文献１、特許文献２に示される従来例においては、表示パネルを壁面から突出させて壁面に対して所望の角度にすべく回動させた際に、表示パネルの側端部が壁面に衝突し、表示パネルや壁面が損傷してしまう惧れがあった。
【０００７】
本発明は上記従来の問題点に鑑みて発明したものであって、その目的とするところは、表示パネルを壁面から突出させて回動させた際に、表示パネルの側端部が壁面に衝突するのを防止する表示パネル支持装置を提供することを課題とするものである。
【課題を解決するための手段】
【０００８】
上記課題を解決するために、本発明は、以下のような構成とする。
【０００９】
請求項１に係る表示パネル支持装置にあっては、壁面Ｗに固定される壁固定部材１と、前面側に表示パネルＰが設置されるパネル取付用部材２と、壁固定部材１とパネル取付用部材２とを連結する可動連結手段３と、を備える。パネル取付用部材２は可動連結手段３を介して壁面Ｗから前方へ離れた位置にて壁固定部材１に対して左右方向に回動自在に支持されると共に、側方に向けて突出してその先端部に緩衝手段７１を有するガード７が設けられていることに特徴を有する。
【００１０】
請求項２に係る発明にあっては、請求項１に係る発明において、ガード７は、パネル取付用部材２から側方に向けて伸縮自在に突出することに特徴を有する。
【００１１】
請求項３に係る発明にあっては、請求項２に係る発明において、パネル取付用部材２は可動連結手段３を介して壁固定部材１に対して離接方向に移動自在となることに特徴を有する。
【発明の効果】
【００１２】
パネル取付用部材に表示パネルを設置した状態で回動させることで、表示パネルを左右に首振りさせて前面の向きを調整可能であり、その際に大きく回動させた時に、ガードの先端部の緩衝手段が壁面に当接することでそれ以上の回動が規制されて、表示パネルの側端部が壁面に衝突するのを回避することができる。また、ガードの緩衝手段が壁面接触時の衝撃を緩和し、表示パネルや壁面が損傷してしまうのを防止することができる。
【００１３】
また、ガードがパネル取付用部材から伸縮自在に突出することで、表示パネルの壁面に対する回動角度の範囲を所望の値に設定することができる。また、横幅の長さが異なる表示パネルに対しても、ガードの突出長さを対応調整することで、表示パネルの大きさに応じて壁面に衝突するのを防止することができる。
【００１４】
また、パネル取付用部材は可動連結手段を介して壁固定部材に対して離接方向に移動自在となることで、パネル取付用部材が壁固定部材から離れる場合には、ガードが突出してパネル取付用部材の所定以上の回動を規制し、パネル取付用部材が壁固定部材に近接又は当接する場合には、ガードが収縮してその突出量が小さくなり又は突出しなくなり、納まりがよくなる。
【図面の簡単な説明】
【００１５】
【図１】本発明の一実施形態を示し、（ａ）は表示パネルを壁面に対して傾けた状態を斜め上方より見た全体斜視図であり、（ｂ）は（ａ）のＡ部拡大図である。
【図２】同上の後斜め上方より見た斜視図である。
【図３】同上の表示パネルを壁面に対して傾けた状態を示し、（ａ）はガードの突出長さが長い場合の平面図であり、（ｂ）はガードの突出長さが短い場合の平面図である。
【図４】同上において別の表示パネルの場合の平面図である。
【発明を実施するための形態】
【００１６】
以下、本発明の一実施形態について添付図面に基づいて説明する。
【００１７】
表示パネル支持装置は、図１、図２に示すように、壁固定部材１と、パネル取付用部材２と、壁固定部材１とパネル取付用部材２とを連結する可動連結手段３と、を備えている。
【００１８】
壁固定部材１は、部屋の壁面Ｗに固定されるもので、本実施形態では、可動連結手段３の横方向の一方の側端部が枢支されており、部屋の壁面Ｗに固定されるベースプレート１１と、ベースプレート１１に固定されるメインプレート１２及びサブプレート１３で構成される。
【００１９】
ベースプレート１１は、前面視略矩形状をした金属からなる板で、一方の面が部屋の壁面Ｗに沿うように該壁面Ｗに固定される。ここで、図１に示すように、壁面Ｗから部屋内を向く方を前方（矢印Ｆ）とすると共に部屋内から壁面Ｗを向く方を後方（矢印Ｂ）とし、後方を向いた時に壁面Ｗに沿う横方向を左右方向（矢印Ｌが左、矢印Ｒが右）とする。
【００２０】
ベースプレート１１の壁面Ｗへの固定は、ベースプレート１１に穿設された固着具挿通孔（図示せず）を介してビス等の固着具（図示せず）を壁面Ｗに螺着させることで行う。ベースプレート１１には、メインプレート１２及びサブプレート１３がビス等の固着具（図示せず）により固定される。
【００２１】
メインプレート１２及びサブプレート１３の前面には、可動連結手段３の一方の側端部が枢支される枢支部５（５１、５２）が設けられる。可動連結手段３は、パネル取付用部材２を、壁面Ｗから前方へ離れた位置にて壁固定部材１に対して左右方向に回動自在に支持するもので、本実施形態ではメインアーム３１とサブアーム３２とからなり、パネル取付用部材２を壁固定部材１に対して離接方向に移動自在にしている。
【００２２】
メインアーム３１及びサブアーム３２は、横方向に所定の長さを有するもので、本実施形態では四辺が上下左右を向く略矩形枠状に形成してある。メインアーム３１及びサブアーム３２は、板状や棒状等、形状は特に限定されないものであり、またメインアーム３１とサブアーム３２とで前記所定の長さや形状が異なっていてもよい。メインアーム３１及びサブアーム３２の左右両方の側端部には、上下方向を中心軸としてメインアーム３１及びサブアーム３２を回動させる被枢支部４が設けられるもので、本実施形態では被枢支部４として、メインアーム３１及びサブアーム３２の両方の側端部の上下端部に枢支軸４１がそれぞれ上下に向けて突設してある。
【００２３】
メインアーム３１及びサブアーム３２の一方の側端部の枢支軸４１ａは、それぞれ上記メインプレート１２及びサブプレート１３の枢支部５（５１、５２）に枢支されるもので、本実施形態では枢支部５側が軸受となっているが、枢支部５側が枢支軸であり且つ被枢支部４側が軸受であってもよい。
【００２４】
メインプレート１２の枢支部５１は、軸受ブラケット５１ａの内部に形成される軸受であり、メインアーム３１の上下長さと略同じかそれより若干長い間隔をあけて、上下に二つの軸受ブラケット５１ａがメインプレート１２の前面に固定される。上側の軸受ブラケット５１ａの軸受にメインアーム３１の一方の側端部の上側の枢支軸４１ａが下方より挿入され、下側の軸受ブラケット５１ａの軸受にメインアーム３１の一方の側端部の下側の枢支軸４１ａが上方より挿入され、前記枢支軸４１ａを中心としてメインアーム３１が回動自在に枢支される。
【００２５】
サブプレート１３の枢支部５２は、ローラ６１の内部に形成される軸受であり、ローラ６１はガイドレール６２内を移動自在となっている。ガイドレール６２は、上方又は下方に開口するガイド溝６３を有する断面略コ字状をしたもので、ローラ６１はその円周側面が側方を向くようにガイド溝６３に収容される。ガイド溝６３の長手方向すなわちローラ６１の移動方向となる左右方向の両端部には、ローラ６１の移動を規制するストッパー（図示せず）が設けてある。サブプレート１３の前面に、二つのガイドレール６２がその開口が互いに対向するように、サブアーム３２の上下長さと略同じかそれより若干長い間隔をあけて固定される。そして、上側のガイドレール６２内に、サブアーム３２の一方の側端部の上側の枢支軸４１ａが挿入されたローラ６１が移動自在に挿入され、下側のガイドレール６２内に、サブアーム３２の一方の側端部の下側の枢支軸４１ａが挿入されたローラ６１が移動自在に挿入され、前記枢支軸４１ａを中心としてサブアーム３２が回動自在に枢支されると共に、枢支軸４１ａとともにローラ６１がガイドレール６２に沿って移動する。すなわち、ローラ６１とガイドレール６２とで、壁固定部材１に沿って枢支部５を横方向に移動させる枢支部移動手段６が構成される。
【００２６】
メインアーム３１及びサブアーム３２の他方の側端部の枢支軸４１ｂは、パネル取付用部材２側の枢支部５３に枢支される。この枢支部５３は、軸受ブラケット５３ａの内部に形成される軸受からなり、軸受ブラケット５３ａは上下に二つ設けられるのであるが、各軸受ブラケット５３ａはそれぞれ軸受を二つ有していて、一方がメインアーム３１の他方の側端部の上下の枢支軸４１ｂが挿入される軸受となり、他方がサブアーム３２の他方の側端部の上下の枢支軸４１ｂが挿入される軸受となる。
【００２７】
パネル取付用部材２は、液晶テレビやプラズマテレビ等の平面状の表示パネルＰの背面に固定されるものである。なお表示パネルＰとしては、前述した液晶テレビ、プラズマテレビや、コンピュータの出力画面等のディスプレイであって、いわゆる薄型のものが好適に挙げられるが、これらに限定されず、絵画や発光しないパネル等、様々なものが挙げられる。
【００２８】
パネル取付用部材２は、前面に表示パネルＰの背面が固定されると共に、背面に上記枢支部５３が固定される部材で、本実施形態では、断面略ロ字状の角材からなる上枠２１及び下枠２２と、断面略コ字状にして強度を増した左枠２３及び右枠２４を略矩形状に枠組みしたものである。
【００２９】
パネル取付用部材２の前面には、表示パネルＰを支持固定するための支持固定部が設けられると共に、表示パネルＰの背面には、前記支持固定部に支持固定される被支持固定部が設けられる。本実施形態では支持固定部として、図２に示すように、パネル取付用部材２の左枠２３及び右枠２４の上下２箇所ずつ計４箇所に、大径の上穴と小径の下穴とが連通してなる所謂だるま穴２５が形成してあり、被支持固定部として、表示パネルＰの前記だるま穴２５に対応する４箇所に、突出基部の径が前記下穴より小さく、突出先端部の径が上穴より小さく下穴より大きい突出部２６が形成してある。表示パネルＰをパネル取付用部材２に支持固定させるには、表示パネルＰの突出部２６の突出先端部をそれぞれ前方よりパネル取付用部材２のだるま穴２５の上穴に挿通させ、上穴を挿通している突出基部を下穴に移動させることで、突出基部が下穴の下端縁上に載置されて支持されると共に、下穴の径よりも大きい突出先端部により抜け止めがなされて固定される。
【００３０】
なお、図中の符号ＫＰは化粧パネルであり、符号Ｒはラックである。
【００３１】
本発明においては少なくとも、パネル取付用部材２は可動連結手段３を介して壁面Ｗから前方へ離れた位置にて壁固定部材１に対して左右方向に回動自在に支持されていればよいが、本実施形態ではパネル取付用部材２は壁面Ｗの離接方向（前後方向）に移動自在となっている。以下に、上述した表示パネル支持装置の動作について説明する。
【００３２】
まず、表示パネルＰを壁面Ｗに沿わせた収納状態とするには、表示パネルＰの左右の両側端ともに壁面Ｗに近接させていくことで、メインアーム３１が壁面Ｗに対して寝かされていくと共に（すなわち壁面Ｗとメインアーム３１の長手方向とのなす角が小さくなり）、表示パネルＰも壁面Ｗと平行になっていき、この時メインアーム３１の一方の側端部の被枢支部４はメインプレート１２の枢支部５１を中心に、他方の側端部の被枢支部４はパネル取付用部材２の枢支部５３を中心に回動する。そしてサブアーム３２も壁面Ｗに対して寝かされていき、この時サブアーム３２は他方の側端部の被枢支部４がパネル取付用部材２の枢支部５３を中心に回動し、一方の側端部の被枢支部４は、ローラ６１の枢支部５２を中心に回動すると共にローラ６１と一緒にガイドレール６２を移動していく。最終的にはメインアーム３１及びサブアーム３２が壁面Ｗと平行になると共に表示パネルＰも壁面Ｗと平行になり、表示パネルＰがメインアーム３１及びサブアーム３２を介して壁面Ｗに沿う収納状態となる。なお、収納状態でも表示パネルＰを使用してもよい（例えば表示パネルＰがテレビである場合にテレビを見る）のは勿論である。
【００３３】
次に、表示パネルＰを壁面Ｗと平行に該壁面Ｗより突出させた状態とするには、表示パネルＰの左右の両側端を壁面Ｗから等距離となるように位置させればよい。この時の表示パネルＰの左右方向の位置は、メインアーム３１により決まる。これは、メインアーム３１の両方の側端部の被枢支部４は、壁面Ｗ側に固定された枢支部５１と表示パネルＰ側に固定された枢支部５３とにそれぞれ枢支されており、表示パネルＰ（ここでは枢支部５３）の壁面Ｗからの距離に応じて、メインアーム３１が壁面Ｗ側の枢支部５１に枢支された被枢支部４を中心に回動して壁面Ｗとなす角が決まり、表示パネルＰ側の枢支部５３を中心に表示パネルＰが回動して壁面Ｗと平行になるように位置が決まるものである。またこの時サブアーム３２も、表示パネルＰの壁面Ｗに対する位置が決まると、表示パネルＰ側の枢支部５３に枢支された被枢支部４の位置が決まり、これに伴って、壁面Ｗ側の枢支部５２がローラ６１とともにガイドレール６２内を移動して位置が決まる。このためサブアーム３２の壁面Ｗ側の被枢支部４を枢支する枢支部５２の位置は、表示パネルＰの壁面Ｗからの距離に応じて左右方向に異なる。
【００３４】
次に、表示パネルＰを壁面Ｗに対して傾けるには、例えば図１に示すように、表示パネルＰの右側の側端部を左側の側端部よりも前方に位置させて、表示パネルＰが壁面Ｗに対して３０°をなすように傾けたり、あるいは、表示パネルＰの左側の側端部を右側の側端部よりも前方に位置させて、表示パネルＰを壁面Ｗに対して傾けたりすることができる。傾き角度が３０°に限定されないのは勿論である。
【００３５】
そして本発明では、表示パネルＰ及びパネル取付用部材２を回動した際に表示パネルＰが壁面Ｗに衝突するのを防止するため、ガード７が設けられる。
【００３６】
ガード７は、図１等に示すように、パネル取付用部材２から側方に向けて突出するもので、本実施形態ではパネル取付用部材２から側方に向けて伸縮自在に突出する。ガード７は表示パネルＰに沿って横方向を長手方向とする棒状をしたもので、パネル取付用部材２の上枠２１の両側端面にそれぞれ挿通口（特に図示せず）が形成してあり、各挿通口にそれぞれガード７がスライド自在に挿通され、ガード７が上枠２１内に収納可能となっている。ガード７の先端には、壁面Ｗに衝突した際の衝撃を吸収する緩衝手段７１が設けてある。
【００３７】
ガード７は、図３に示すように、パネル取付用部材２から側方に向けて突出して、緩衝手段７１が表示パネルＰの背面側の側端部近傍に位置する状態とする。そして、表示パネルＰ及びパネル取付用部材２を回動させ、表示パネルＰと壁面Ｗとがなす角度が大きくなると、緩衝手段７１が壁面Ｗに当接し、それ以上の回動が規制される。
【００３８】
図３（ａ）にガード７のパネル取付用部材２からの突出量Ｌが大きい場合に最大に傾けた状態を示し、図３（ｂ）にガード７のパネル取付用部材２からの突出量Ｌが小さい場合に最大に傾けた状態を示す。図３（ａ）に示す突出量Ｌが大きい場合には、図３（ｂ）に示す突出量Ｌが小さい場合と比べて、表示パネルＰと壁面Ｗとがなす角度が小さい時に緩衝手段７１が壁面Ｗに当接するため、表示パネルＰの回動角度の範囲が狭くなる。ガード７のパネル取付用部材２からの突出量Ｌを調節することで、表示パネルＰと壁面Ｗとがなす最大の角度・回動角度の範囲を任意に設定することができる。
【００３９】
また、図４に示すように、横幅の長い表示パネルＰ’を取り付けた場合には、横幅の短い図３の表示パネルＰの場合よりもガード７の突出量Ｌを大きくすることで、表示パネルＰが壁面Ｗに衝突するのを防止することができる。すなわち、表示パネルＰの横幅が長い程、ガード７の突出量Ｌを大きくすればよい。
【００４０】
このように、ガード７のパネル取付用部材２からの突出量Ｌを調節することで、横幅の長さが異なる表示パネルＰに対しても、ガード７の突出長さを対応調整することで、表示パネルの大きさに応じて、表示パネルＰが壁面Ｗに衝突するのを防止することができる。
【００４１】
本発明においては、パネル取付用部材２に表示パネルＰを設置した状態で回動させることで、表示パネルＰを左右に首振りさせて前面の向きを調整可能であり、その際に大きく回動させた時に、ガード７の先端部の緩衝手段７１が壁面Ｗに当接することでそれ以上の回動が規制されて、表示パネルＰの側端部が壁面Ｗに衝突するのを回避することができ、表示パネルＰが壁面Ｗに衝突することによる表示パネルＰ、壁面Ｗの損傷を防止することができる。また、パネル取付用部材２が壁固定部材１に近接又は当接する場合には、ガード７が収納されて、納まりがよくなる。
【００４２】
なお、本実施形態では可動連結手段３はメインアーム３１とサブアーム３２の二部材からなるが、一部材や三部材以上であってもよいものである。
【符号の説明】
【００４３】
１    壁固定部材
２    パネル取付用部材
３    可動連結手段
３１  メインアーム
３２  サブアーム
４    被枢支部
５    枢支部
６    枢支部移動手段
６１  ローラ
６２  ガイドレール
Ｐ    表示パネル
Ｗ    壁面
ＫＰ  化粧パネル
Ｒ    ラック
７    ガード
７１  緩衝手段
【図１】
2010278571.tif 000003
【図２】
2010278571.tif 000004
【図３】
2010278571.tif 000005
【図４】
2010278571.tif 000006